(57)【要約】【課題】  カートリッジのないディスク本体のみでありながら、再生劣化を起こすことなく単層ディスクか多層ディスクであるかを判別可能とする。【解決手段】  再生光量を単層の信号記録面を有する光ディスク１の情報を再生する第一の光量、多層の信号記録面を有する光ディスクの情報を再生する第二の光量に調節する手段、光ディスクの信号記録面の層数を判別する層数判別手段２７とを具備する。そして、層数判別別手段２７により光ディスクの層数を判別する場合には、光量調節手段により第一の光量に調節して層数の判別を行う。【選択図】        図３
2006236469.tif 000002
【特許請求の範囲】
【請求項１】
単層及び多層の信号記録面を有する光記録媒体に対し、光源からの発散光を対物レンズにより集光して情報の記録或いは再生を行う光学的情報記録再生装置において、再生光量を前記単層の信号記録面を有する光記録媒体に記録された情報を再生する第一の光量と前記第一の光量より大きく、前記多層の信号記録面を有する光記録媒体に記録された情報を再生する第二の光量に調節する手段と、前記光記録媒体の信号記録面の層数を判別する手段とを有し、前記判別手段により光記録媒体の層数を判別する場合には、前記光量調節手段により前記第一の光量に調節することを特徴とする光学的情報記録再生装置。
【請求項２】
前記光量調節手段は、前記光源の光出力を制御することによって前記第一又は第二の光量に調節することを特徴とする請求項１に記載の光学的情報記録再生装置。
【請求項３】
前記光量調節手段は、前記光源から前記光記録媒体までの光路に配設された光量減衰素子を含み、前記光量減衰素子を制御することにより前記第一又は第二の光量に調節することを特徴とする請求項１又は２に記載の光学的情報記録再生装置。
【請求項４】
前記光量減衰素子は、偏光素子と液晶素子とを備え、前記光源と前記偏光素子との間に前記液晶素子が配置され、前記液晶素子への通電をオン／オフすることにより前記第一又は第二の光量に調節することを特徴とする請求項３に記載の光学的情報記録再生装置。
【請求項５】
前記光量減衰素子は、前記光源から光記録媒体までの光路に配置された光学フィルタを含み、前記光学フィルタを前記光路に対して進退させることにより前記第一又は第二の光量に調節することを特徴とする請求項３に記載の光学的情報記録再生装置。
【発明の詳細な説明】
【技術分野】
【０００１】
本発明は、例えば、Ｂｌｕ−ｒａｙ  Ｄｉｓｃ等の単層及び多層の信号記録面を有する光ディスク等の記録媒体を用いた光学的情報記録再生装置に関し、特に、単層、多層のディスク判別時における再生パワーの制御技術に関するものである。
【背景技術】
【０００２】
近年、CD、DVDといった光ディスクにおいては、情報の大容量化に伴い、より高密度の光ディスクの実現が求められている。ここで、ＤＶＤよりも高密度な記録を達成するには、記録層上にＤＶＤよりも小さなマークを記録する必要があり、その為には光源の波長を短く、対物レンズの開口数（以降、ＮＡと称す）を大きくすることが必要となる。
【０００３】
例えば、ＤＶＤの場合には光源に波長６６０ｎｍのレーザを用い、対物レンズにＮＡ０．６のレンズを用いているが、光源として波長４０５ｎｍの青色レーザを用い、ＮＡ０．８５の対物レンズを用いることで、ＤＶＤの約５倍の記録容量が達成できる。更に、近年の青色レーザの高出力化により１層の記録層を持ついわゆる単層ディスクよりも更に高い記録容量を得るために、複数の記録層を持つ多層ディスクの開発も行われ、現状では２層ディスクまではカートリッジに内包されたBlu-ray  Discとして製品化が実現されている。
【０００４】
このため、市場においては単層ディスクと多層ディスクの二種類のディスクが存在しており、ディスク装置は双方のディスクに対応することが要求されている。
【０００５】
一般的に、電源投入時や光ディスク装置にディスクを挿入した際には、まず、例えば、ディスク最内周側に予め記録されたプリフォーマットエリアからディスク固有の情報を再生する。これは、例えば、推奨再生パワー、記録パワー等である。そして、得られたプリフォーマットの情報を元に実際に使用する最適パワー等のパラメータを決定するための学習動作を行い、最終的に学習によって得られた各種パラメータを元に実際の記録や再生を行う。
【０００６】
ところが、上述したような単層ディスクと多層ディスクにおいては、ディスクの透過率や反射率といった特性により各々の層に最適な再生光量（対物レンズからディスクに照射される出射光量）は大きく異なる。例えば、Blu-ray  Discにおいては２層ディスクの再生光量は単層ディスクの再生光量の約２倍程度となっている。
【０００７】
このため、仮に単層メディアに対し、２層メディアの再生光量で対物レンズより照射すると、再生光量の超過による再生劣化が生じ、記録されていた情報の劣化、破損が生じる可能性がある。例えば、上述したプリフォーマットの情報が劣化や破損すると、学習を行うためのパラメータを得ることが不可能となる。また、ユーザの記録情報が劣化、破損する可能性も否定できない。
【０００８】
このような問題に対し、例えば、特開平７−２９３５０号公報にはディスクを内包するカートリッジに設けられた識別孔を利用してディスクの記録層が単層か多層かを判別することが記載されている（特許文献１）。つまり、ディスクカートリッジの任意の位置に識別孔が設けられており、この孔の状態をカートリッジを保持することで検出し、単層ディスク、多層ディスクの判別（以下、層数判別とする）を行うのである。
【０００９】
図１１は同公報の層数判別のフローチャートを示す。電源ＯＮ時或いは新しくディスクが搬入され、ディスクを回転させるスピンドルモータに搭載された場合等、ディスクの単層、多層という層数判別が必要となった場合には（Ｓ４０１）、カートリッジの識別孔の開閉状態を検知することで単層か多層かを判別する（Ｓ４０２）。単層ディスクと判別されると、再生光量を単層ディスクの再生光量（第一の光量）に調節し、先述したプリフォーマット情報を再生する（Ｓ４０３）。
【００１０】
次いで、記録又は再生動作を実行する（Ｓ４０４）。記録又は再生動作を終了すると、光源の半導体レーザをＯＦＦし（Ｓ４０５）、電源ＯＦＦ或いはディスクを排出して（Ｓ４０６）、処理を終了する。
【００１１】
一方、Ｓ４０２で多層ディスクと判別されると、再生光量を多層ディスクの再生光量（第二の光量）に調節し、同様にプリフォーマット情報を再生する（Ｓ４０７）。以下、同様に記録再生を行い（Ｓ４０４）、それが終了すると半導体レーザをＯＦＦし（Ｓ４０５）、その後、電源ＯＦＦ或いはディスクを排出して、処理を終了する（Ｓ４０６）。
【特許文献１】特開平７−２９３５０号公報
【発明の開示】
【発明が解決しようとする課題】
【００１２】
近年の装置や記録媒体の小型化、薄型化、軽量化の要求に対して、カートリッジに収納されないディスク単体での使用が望まれており、今後の光ディスク装置の開発においても避けることの出来ない開発項目の一つである。このため、特許文献１のようなカートリッジの識別孔によらない単層か多層かの判別が要求されている。
【００１３】
また、層数判別の方法としては、対物レンズを対物レンズアクチュエータでディスク面と垂直方向に上下させることで得られる合焦信号のピークを検出し、ピークが１つの場合は単層、２つ検出された場合は２層と判別する方法等がある。
【００１４】
しかし、仮に単層ディスクに対し多層ディスクの再生光量（第二の光量）で上述した層数判別を実施すると、先述した通り再生劣化が生じ、合焦した場所によってはユーザの記録情報が破損する可能性があった。
【００１５】
本発明の目的は、カートリッジを用いることなく記録媒体本体のみでありながら、再生劣化を起こすことなく単層記録媒体であるか多層記録媒体であるかの判別を実現することが可能な光学的情報記録再生装置を提供することにある。
【課題を解決するための手段】
【００１６】
上記課題を解決するために、本発明は、単層及び多層の信号記録面を有する光記録媒体に対し、光源からの発散光を対物レンズにより集光して情報の記録或いは再生を行う光学的情報記録再生装置において、再生光量を前記単層の信号記録面を有する光記録媒体に記録された情報を再生する第一の光量と前記第一の光量より大きく、前記多層の信号記録面を有する光記録媒体に記録された情報を再生する第二の光量に調節する手段と、前記光記録媒体の信号記録面の層数を判別する手段とを有し、前記判別手段により光記録媒体の層数を判別する場合には、前記光量調節手段により前記第一の光量に調節することを特徴とする。
【００１７】
本発明においては、このように光記録媒体の層数を判別する場合には、単層媒体を再生するための第一の光量に調節することで、カートリッジがない媒体本体（ベアディスクとする）においても、再生劣化を起こすことなく単層媒体か多層媒体かの判別が可能となる。
【００１８】
また、本発明は、単層媒体か多層媒体かの判別のみならず、例えば、特開２００４−１９９７５５号公報や特開２００３−２５７０７２号公報に記載されている光源であるレーザの量子化雑音による信号品位の劣化を防止することも可能となる。
【発明の効果】
【００１９】
本発明によれば、光記録媒体の層数を判別する場合には、再生光量を単層媒体に対応する第一の光量で判別することにより、媒体単体（ベアディスク）であっても再生劣化を起こすことなく単層媒体か多層媒体かを判別することが可能となる。また、光源であるレーザの量子化雑音による信号品位の劣化を防止することも可能となる。
【発明を実施するための最良の形態】
【００２０】
次に、発明を実施するための最良の形態を図面を参照して詳細に説明する。
【００２１】
（第１の実施形態）
図１は本発明に係る光ディスク装置の第１の実施形態を示すブロック図である。図中１は光記録媒体である光ディスク、２は光ディスク１を搭載して回転させるスピンドルモータ、３はスピンドルモータを回転駆動するスピンドルモータドライバーである。
【００２２】
また、６は光ディスク１に情報を記録し或いは再生する光ピックアップである。光ピックアップ６は光源である半導体レーザ７、半導体レーザ７からのビームを光ディスク１の記録面上に集光し、スポット光を形成する対物レンズ４、光ディスク１の面ブレ等に追従しながら記録面に合焦させ（フォーカス、以下Ｆｏとする）、且つ、光ディスク１に配されたトラックに追従させる（トラッキング、以下、Ｔｒとする）ため、ディスク面と垂直方向と水平方向の二軸に対物レンズ４を駆動する対物レンズアクチュエータ５、半導体レーザ７の光量を制御するレーザドライバー２４、その他の図示しない光学素子や光ディスク１からの反射光を検出するセンサ等を含んでいる。
【００２３】
更に、８は対物レンズアクチュエータ５やレーザドライバー２４等を制御する光ピックアップドライバー、９は光ピックアップ６を光ディスク１の半径方向に移送するためのシークモータ、１０はシークモータ９を制御するシークモータドライバーである。また、２７は後述するように光ディスク１の記録層の層数判別を行う層数判別手段である。
【００２４】
また、１１は各ドライバーの制御や光ピックアップ６に設けられたセンサからの出力信号の処理等を行うサーボ／ＲＦ処理や、光ディスク装置１２を統括制御し、各シーケンス制御の中枢を担うためＣＰＵ、メモリ等から構成されたコントローラである。以上の構成要素によって光ディスク装置１２が構成されている。なお、本実施形態では、レーザドライバー２４によって半導体レーザ７の光量調節手段が構成されている。
【００２５】
図２は光ピックアップ６の光学系を示す図である。半導体レーザ７からの出射ビームは回折格子２２でメインビームと２つのサブビームに分離される。このサブビームはＤＰＰ（ディファレンシャルプッシュプル）用のサーボ用信号生成に利用される。
【００２６】
回折格子２２からのビームは一部が偏光ビームスプリッタ１３で反射され、集光レンズ１４によりモニタ用ＰＤ１５に集光される。モニタＰＤ１５の出力は半導体レーザ７からの出射パワーのコントロールに使用される。
【００２７】
偏光ビームスプリッタ１３を透過したビームはλ／４板２３を介してコリメートレンズ１６で平行光束とされ、更に対物レンズ４により光ディスク１の透明基板を通して情報記録面に結像される。光ディスク１から反射したビームは対物レンズ４、コリメートレンズ１６、λ／４板２３を介して偏光ビームスプリッタ１３で反射され、センサレンズ１７によりＲＦサーボＰＤ１８上に集光される。ＲＦサーボＰＤ１８からの出力により情報信号やサーボ用信号が得られる。
【００２８】
次に、光ディスク装置１２の動作について詳述する。まず、コントローラ１１によって光ピックアップドライバー８、シークモータドライバー１０、スピンドルモータドライバー３が統括制御され、スピンドルモータドライバー３の駆動によりスピンドルモータ２が所望の回転数で回転する。これにより、スピンドルモータ２に搭載された光ディスク１も一体となって回転する。
【００２９】
また、シークモータドライバー１０によってステッピングモータであるシークモータ９が駆動され、光ディスク１の半径方向の任意の位置に光ピックアップ６が移送される。更に、光ピックアップドライバー８を介してレーザドライバー２４が制御され、光ピックアップ８の半導体レーザ７からのレーザ光が制御される。このレーザ光は対物レンズ４により光ディスク１の記録面に集光され、情報の記録或いは記録情報の再生が行われる。
【００３０】
この際、先述した通り対物レンズ４を光ディスク１の記録面に配されたトラックに追従させるため、対物レンズアクチュエータ５への駆動電流（Ｆｏ方向がＦｏ電流、Ｔｒ方向がＴｒ電流）が、光ピックアップドライバー８によって後述するＦｏエラー信号とＴｒエラー信号に基づいて制御される。なお、Ｆｏエラー信号とは対物レンズ４と光ディスク１の垂直方向の相対距離に応じて得られる信号で、合焦状態で０となる信号である。例えば、非点収差法で得られる。
【００３１】
一方、Ｔｒエラー信号は光ディスク１の記録面に形成されたトラックと、スポットのディスク面と平行方向の相対位置に応じて得られる信号で、トラックの略中央にスポットが位置した場合に０となる信号である。例えば、プッシュプル法やディファレンシャルプッシュプル法で得られる。なお、Ｆｏエラー信号やＴｒエラー信号の生成方法等については公知であるため説明は省略する。また、本発明は上述した非点収差法、ディファレンシャルプッシュプル法以外の手法においても無論適用可能である。
【００３２】
図３は本実施形態の動作を説明するためのフローチャートである。まず、装置の電源ＯＮや光ディスク１がスピンドルモータ２に搭載された場合等、光ディスク１の単層、多層という層数判別が必要となった場合には（Ｓ１０１）、コントローラ１１の指令に基づいてレーザドライバー２４が半導体レーザ７をＯＮし、対物レンズ４からの出射光量が単層ディスクの再生光量（第一の光量）となるように半導体レーザ７の出力を制御し（Ｓ１０２）、レーザ光を光ディスク１に照射する。第一の光量は先述のように単層ディスクを再生するための光量である。
【００３３】
次いで、コントローラ１１の制御に基づいて層数判別手段２７が光ディスク１の記録層が単層であるか多層（例えば、２層とする）であるかを判別する（Ｓ１０３）。単層であるか多層であるかの判別方法については後述するが、単層ディスクであると判別された場合には、再生光量を変更することなく記録又は再生動作を行う（Ｓ１０４）。
【００３４】
この際、先述のように第一の光量で光ディスク１からプリフォーマット情報を再生し、その情報を元に記録や再生を行う。もちろん、記録時には記録パワーに設定して記録を行う。記録又は再生が終了すると、レーザドライバー２４により半導体レーザ７をＯＦＦし（Ｓ１０５）、電源ＯＦＦ又はディスクを排出して（Ｓ１０６）、処理を終了する。
【００３５】
一方、２層ディスクであると判別された場合には、コントローラ１１の制御に基づいてレーザドライバー２４によって半導体レーザ７の出力を制御することで対物レンズ４からの出射光量が２層ディスクの再生光量（第二の光量＝第一の光量の約２倍）に変更し（Ｓ１０７）、記録又は再生を行う（Ｓ１０８）。この場合には、第二の光量で光ディスク１からプリフォーマット情報を再生し、その情報を元に記録や再生を行う。記録時には記録パワーに設定して記録を行う。記録又は再生が終了すると、半導体レーザ７をＯＦＦし（Ｓ１０５）、電源ＯＦＦ又はディスクを排出して（Ｓ１０６）、処理を終了する。第二の光量は先述のように多層ディスクを再生するための光量である。
【００３６】
次に、本実施形態による光ディスク１の層数判別方法について以下に詳述する。例えば、対物レンズ４をＦｏ方向に上下動させ、光ディスク１からの反射光量をＲＦサーボＰＤ１８で検出すると、各層に合焦した際に最大となる信号が得られ、合焦状態を示すピークの数で層数を判別することが可能となる。
【００３７】
このため、図４に示すように任意の閾値ｘを設定し、該閾値ｘを超えてピークが１つ検出された場合（図４中に実線で表示）のみ単層ディスクと判別する。また、光量不足により閾値ｘを下回った場合や、ピークが２つ検出された場合には（図４中に破線で表示）、２層ディスクと判別することが可能である。もちろん、この場合には、第二の光量に変更して再度層数判別を実施することも可能である。
【００３８】
このようにベアディスクにおいても層数判別時に単層ディスクの再生に対応する第一の光量で判別することにより、再生劣化を起こすことなく、光ディスク１が単層ディスクであるか多層ディスクであるかの判別が可能となる。
【００３９】
（第２の実施形態）
図５は本発明に係る光ディスク装置の第２の実施形態を示すブロック図、図６はその光ディスク装置に用いる光ピックアップ６の光学系の構成図である。なお、図５、図６では第１の実施形態の図１、図２と同一部分には同一符号を付して説明を省略する。
【００４０】
基本的な構成や動作は第１の実施形態と同様であるが、本実施形態では、特開２００４−１９９７５５号公報に示されている光量減衰素子（偏光ビームスプリッタと液晶素子）を用いて先述の第一の光量と第二の光量を調節する。なお、光量減衰の方法については同公報に示されているため省略する。
【００４１】
図中１９は液晶素子、２５は液晶素子１９を制御する液晶素子ドライバーである。なお、図５では図１に示すレーザドライバー２４は光ピックアップドライバー８に含まれるものとして省略している。また、本実施形態では、偏光ビームスプリッタ１３、液晶素子１９、液晶素子ドライバー２５によって光量調節手段が構成されている。
【００４２】
ここで、液晶素子１９への通電ＯＦＦ状態と比較し、通電ＯＮ状態では分子配列状態が変化し、偏光ビームスプリッタ１３と組み合わせることで約５０％対物レンズ４から出射する光量が減衰する。本実施形態では、情報再生時における半導体レーザ７の出力光量を常に多層ディスクの再生光量となるように設定し、液晶素子１９への通電のＯＮ／ＯＦＦを制御することで、対物レンズ４からの出射光量を先述の第一又は第二の光量となるように調節する。
【００４３】
図７は本実施形態による光ディスクの層数判別動作を示すフローチャートである。装置の電源ＯＮ或いは光ディスク１が挿入されると（Ｓ２０１）、コントローラ１１は液晶ドライバー２５を制御し、液晶素子１９への通電をＯＮすることで対物レンズ４からの出射光量が先述の第一の光量となるように液晶素子１９の分子配列状態を変更しておく（Ｓ２０２）。
【００４４】
次いで、半導体レーザ７をＯＮし（Ｓ２０３）、第１の実施形態と同様に第一の光量で層数判別手段２７により層数判別を実施する（Ｓ２０４）。この時、層数判別手段２７により光ディスク１が単層ディスクと判別された場合には、そのまま記録又は再生を行う（Ｓ２０５）。この場合には、第一の光量で光ディスク１からプリフォーマット情報を再生し、その情報を元に記録や再生を行う。記録時には記録パワーに設定して記録を行う。記録又は再生が終了すると、半導体レーザ７をＯＦＦし（Ｓ２０６）、電源ＯＦＦ又はディスクを排出して（Ｓ２０７）、処理を終了する。
【００４５】
一方、多層ディスク（２層ディスクとする）と判別された場合には、コントローラ１１は液晶素子ドライバー２５を制御し、液晶素子１９への通電をＯＦＦすることで分子配列状態を変更し、再生光量を第二の光量に調節する（Ｓ２０８）。次いで、記録又は再生を行う（Ｓ２０９）。この場合には、第二の光量で光ディスク１からプリフォーマット情報を再生し、その情報を元に記録や再生を行う。記録時には記録パワーに設定して記録を行う。記録又は再生が終了すると、半導体レーザ７をＯＦＦし（Ｓ２０６）、電源ＯＦＦ又はディスクを排出して（Ｓ２０７）、処理を終了する。
【００４６】
このように光量減衰素子として偏光ビームスプリッタ１３と液晶素子１９を用いた場合には、第１の実施形態と比較して半導体レーザ７の出力は常に高い状態を保つことが可能になるため、光源である半導体レーザ７の量子化雑音による信号品位の劣化を防止することが可能となる。これは、ＤＶＤ等と比較し、各種のストレスマージンが厳しいBlu-ray  Disc等青色レーザを用いた光ディスク装置において特に有効である。
【００４７】
また、本発明は本実施形態の構成のみに限定されるものではなく、例えば、偏光ビームスプリッタ１３を偏光ホログラムに置き換えて、液晶素子と組み合わせることでも同様に光量を減衰させることが可能である。更に、液晶素子１９を回折格子２２と偏光ビームスプリッタ１３の間に配置することも可能である。
【００４８】
（第３の実施形態）
図８は本発明に係る光ディスク装置の第３の実施形態を示すブロック図、図９はその光ディスク装置に用いる光ピックアップ６の光学系の構成図である。なお、基本的な構成や動作は第１及び第２の実施形態と同様であり、第１及び第２の実施形態と同一機能を有する部分には同一符号を付して説明を省略する。本実施形態では、特開２００３−２５７０７２号公報に示された光量減衰素子を用いて第一の光量や第二の光量に調節する。
【００４９】
図中２０は光量減衰素子である光学フィルタ、２６は光学フィルタ２０を駆動するステッピングモータである光学フィルタ駆動モータ、２１は光学フィルタ駆動モータ２６を駆動するモータ駆動ドライバーであり、モータ駆動ドライバー２１は光ピックアップドライバー８によって制御される。なお、図８では第１の実施形態に示すレーザドライバー２４は光ピックアップドライバー８に含まれるものとして省略している。
【００５０】
また、光量減衰の方法については上記公報に示されているため省略するが、モータ駆動ドライバー２１によって光学フィルタ駆動モータ２６を駆動し、５０％の透過率を有する光学フィルタ２０を光軸に対して進退させることで光量の調節を実施する。つまり、半導体レーザ７の出力光量は第２の実施形態と同様に多層ディスクの再生光量（第二の光量）となるように制御されており、単層ディスクの場合には光学フィルタ２０を光軸上に配置することで光量を減衰させて再生光量を第一の光量に調節し、多層ディスクの場合には光学フィルタ２０を図９に示すように矢印Ａ方向へ移動させることで光軸から退避させ、第二の光量に調節する。
【００５１】
図１０は本実施形態の動作を示すフローチャートである。まず、装置の電源ＯＮ或いは光ディスク１が挿入されると（Ｓ３０１）、コントローラ１１はモータ駆動ドライバー２１を制御し、光学フィルタ駆動モータ２６の駆動により光学フィルタ２０を光軸中に配置することで、対物レンズ４からの出射光量が第一の光量となるように調節する（Ｓ３０２）。その後、コントローラ１１は半導体レーザ７をＯＮし（Ｓ３０３）、第１及び第２実施形態と同様に層数判別手段２７により光ディスク１の層数判別を行う（Ｓ３０４）。
【００５２】
層数判別の結果、単層ディスクと判別された場合には、そのまま記録又は再生を行う（Ｓ３０５）。その際、第一の光量で光ディスク１からプリフォーマット情報を再生し、その情報を元に記録や再生を行う。記録時には記録パワーに設定して記録を行う。記録又は再生が終了すると、半導体レーザ７をＯＦＦし（Ｓ３０６）、その後、装置の電源ＯＦＦ又はディスクを排出して（Ｓ３０７）、処理を終了する。
【００５３】
一方、多層ディスク（２層ディスクとする）と判別された場合には、コントローラ１１はモータ駆動ドライバー２１を制御し、光学フィルタ２０を光学フィルタ駆動モータ２６の駆動により光軸から退避させる方向（図９の矢印Ａ方向）に移動させることで、再生光量を第二の光量に調節する（Ｓ３０８）。その後、記録又は再生を行う（Ｓ３０９）。その際、第二の光量で光ディスク１からプリフォーマット情報を再生し、その情報を元に記録や再生を行う。記録時には記録パワーに設定して記録を行う。記録又は再生が終了すると、半導体レーザ７をＯＦＦし（Ｓ３０６）、その後、装置の電源ＯＦＦ又はディスクを排出して（Ｓ３０７）、処理を終了する。
【００５４】
本実施形態では、光量減衰素子として光軸に対して進退可能な光学フィルタを用いることにより、第２の実施形態と比較して消費電力を低減することが可能となる。つまり、液晶素子１９を用いた場合には、第一の光量状態では液晶素子１９の分子配列状態を維持するため、液晶素子１９に常に通電する必要がある。
【００５５】
本実施形態では、例えば、光学フィルタ２０の進退をステッピングモータやプランジャ等で行うことで、第二の光量から第一の光量、又は第一の光量から第二の光量への移行時以外通電をＯＦＦすることが可能となるため、消費電力を低減できる。
【００５６】
なお、以上の実施形態では、光ディスクが多層の場合の層数を２層ディスクとしたが、本発明は、３層以上のディスク（媒体）の場合においても使用することが可能である。即ち、３層以上の場合にも層数判別の時は再生光量を第一の光量とすれば良い。
【図面の簡単な説明】
【００５７】
【図１】本発明の第１の実施形態を示すブロック図である。
【図２】第１の実施形態の光ピックアップの光学系を示す構成図である。
【図３】第１の実施形態の層数判別動作を示すフローチャートである。
【図４】反射光量のピークによる層数判別を説明する図である。
【図５】本発明の第２の実施形態を示すブロック図である。
【図６】第２の実施形態の光ピックアップの光学系を示す構成図である。
【図７】第２の実施形態の層数判別動作を示すフローチャートである。
【図８】本発明の第３の実施形態を示すブロック図である。
【図９】第３の実施形態の光ピックアップの光学系を示す構成図である。
【図１０】第３の実施形態の層数判別動作を示すフローチャートである。
【図１１】従来例の層数判別動作を示すフローチャートである。
【符号の説明】
【００５８】
１  光ディスク
２  スピンドルモータ
３  スピンドルモータドライバー
４  対物レンズ
５  対物レンズアクチュエータ
６  光ピックアップ
７  半導体レーザ
８  光ピックアップドライバー
９  シークモータ
１０  シークモータドライバー
１１  コントローラ
１２  光ディスク装置
１３  偏光ビームスプリッタ
１４  集光レンズ
１５  モニタ用ＰＤ
１６  コリメートレンズ
１７  センサレンズ
１８  ＲＦサーボＰＤ
１９  液晶素子
２０  光学フィルタ
２１  モータ駆動ドライバー
２２  回折格子
２３  λ／４板
２４  レーザドライバー
２５  液晶素子ドライバー
２６  光学フィルタ駆動モータ
２７  層数判別手段
【図１】
2006236469.tif 000003
【図２】
2006236469.tif 000004
【図３】
2006236469.tif 000005
【図４】
2006236469.tif 000006
【図５】
2006236469.tif 000007
【図６】
2006236469.tif 000008
【図７】
2006236469.tif 000009
【図８】
2006236469.tif 000010
【図９】
2006236469.tif 000011
【図１０】
2006236469.tif 000012
【図１１】
2006236469.tif 000013